(57)【要約】      （修正有）【課題】冷却性能向上のため、冷凍室用蒸発器を内壁面側に大きく配置しても、冷凍室用蒸発器の後側の内壁面内に第２蒸発器に連通する冷媒管を通す通路を確保でき、且つ、冷媒管設置作業の作業性の低下を抑制できる冷却貯蔵庫を提供する。【解決手段】機械室１２、冷凍室１９及び冷蔵室２０をこの順で横並びに配した冷却貯蔵庫１であって、冷凍室１９内の機械室側冷凍室用冷却室２２に冷凍室用蒸発器３４と、冷凍室用蒸発器３４の後側に設けられている冷媒管通路部４１と、冷蔵室２０内の冷蔵室用冷却室２５に冷蔵室用蒸発器３５と、機械室１２から冷蔵室用蒸発器３５とを連通する冷媒管を配置するための冷媒管通路部４１を有し、前記冷媒管通路部４１は冷凍室１９の後側の内壁面より後側に位置しており、冷媒管通路部４１の冷凍室１９側の端部４１Ａが冷凍室１９側から機械室１２側に向かって後側に傾斜している、冷却貯蔵庫１。【選択図】図３
2019143892.tif 000002
【特許請求の範囲】
【請求項１】
前側から見て機械室、第１貯蔵室及び第２貯蔵室がこの順で横並びに配されている冷却貯蔵庫であって、
前記第１貯蔵室内において前記機械室側に設けられている第１冷却室と、
前記第１冷却室に収容されている第１蒸発器と、
前記第１蒸発器の後側に設けられている冷媒管通路部と、
前記第２貯蔵室内に設けられている第２冷却室と、
前記第２冷却室に収容されている第２蒸発器と、
前記第２蒸発器から延びており、前記第１貯蔵室内を配策され、前記冷媒管通路部内を通されて前記機械室に導入されている冷媒管と、
を備え、
前記冷媒管通路部は前記第１貯蔵室の後側の内壁面より後側に位置しており、前記冷媒管通路部の前記第１貯蔵室側の端部が前記第１貯蔵室側から前記機械室側に向かって後側に傾斜している、冷却貯蔵庫。
【請求項２】
請求項１に記載の冷却貯蔵庫であって、
前記冷媒管通路部の前記第１貯蔵室側の開口は前側から見て少なくとも一部が視認可能である、冷却貯蔵庫。
【請求項３】
請求項１又は請求項２に記載の冷却貯蔵庫であって、
前記冷媒管通路部の前記第１貯蔵室側の開口は前記第２貯蔵室側から見て少なくとも一部が視認可能である、冷却貯蔵庫。
【発明の詳細な説明】
【技術分野】
【０００１】
本明細書で開示する技術は、冷却貯蔵庫に関する。
【背景技術】
【０００２】
従来、前側から見て機械室、第１貯蔵室及び第２貯蔵室がこの順で横並びに配されている冷却貯蔵庫が知られている（例えば、特許文献１参照）。
また、従来、例えば冷蔵室に収容された蒸発器を、機械室に収容されている圧縮機などに配管を介して接続する冷蔵庫が知られている（例えば、特許文献２参照）。具体的には、特許文献２に記載の冷蔵庫は、冷凍装置を収納した機械室と、冷却器を内蔵した収納庫を有する箱体とを備えており、機械室と箱体との上部に天板が配設されている。そして、冷凍装置から導出する管体が機械室の正面側に引き出され、機械室及び箱体から正面側に水平に延出する天板の下面を配管された後、収納庫の内部に導入されて冷却機に接続される。
【先行技術文献】
【特許文献】
【０００３】
【特許文献１】特開２０１７−１２２５４２号公報
【特許文献２】実開平４−１１３７６号公報
【発明の概要】
【発明が解決しようとする課題】
【０００４】
ところで、図７に示すように、前側から見て機械室１０１、冷凍室１０２（第１貯蔵室に相当）、及び、冷蔵室１０３（第２貯蔵室に相当）がこの順で横並びに配されている冷却貯蔵庫１００では、冷蔵室１０３内に収容されている冷蔵室用蒸発器１０４から延びる冷媒管１０５が冷凍室１０２内を配策され、冷凍室１０２内において機械室１０１側に設けられている冷凍室用冷却室１０６に収容されている冷凍室用蒸発器１０７の後側を通されて機械室１０１に導入される場合がある。そのような冷却貯蔵庫１００の場合、冷凍室１０２の冷却性能を向上させるために冷凍室用蒸発器１０７を後側に大きくすると、冷凍室用蒸発器１０７の後側に冷媒管１０５を通すための通路１０８を確保できなくなるという問題がある。
【０００５】
本明細書では、冷却性能の向上のために第１蒸発器を後側に大きくしても第１蒸発器の後側に冷媒管を通すための通路を確保でき、且つ、第１貯蔵室側から当該通路に冷媒管を通す作業の作業性の低下を抑制できる技術を開示する。
【課題を解決するための手段】
【０００６】
本明細書で開示する冷却貯蔵庫は、前側から見て機械室、第１貯蔵室及び第２貯蔵室がこの順で横並びに配されている冷却貯蔵庫であって、前記第１貯蔵室内において前記機械室側に設けられている第１冷却室と、前記第１冷却室に収容されている第１蒸発器と、前記第１蒸発器の後側に設けられている冷媒管通路部と、前記第２貯蔵室内に設けられている第２冷却室と、前記第２冷却室に収容されている第２蒸発器と、前記第２蒸発器から延びており、前記第１貯蔵室内を配策され、前記冷媒管通路部内を通されて前記機械室に導入されている冷媒管と、を備え、前記冷媒管通路部は前記第１貯蔵室の後側の内壁面より後側に位置しており、前記冷媒管通路部の前記第１貯蔵室側の端部が前記第１貯蔵室側から前記機械室側に向かって後側に傾斜している。
【０００７】
上記の冷却貯蔵庫によると、冷媒管通路部を第１貯蔵室の後側の内壁面より後側に位置させるので、第１貯蔵室の冷却性能を向上させるために第１蒸発器を後側に大きくしても第１蒸発器の後側に冷媒管を通すための通路を確保することができる。
そして、上記の冷却貯蔵庫によると、冷媒管通路部の第１貯蔵室側の端部が第１貯蔵室側から機械室側に向かって後側に傾斜しているので、冷媒管を冷媒管通路部内に通すとき、冷媒管は冷媒管通路部の傾斜している端部に案内されて冷媒管通路部内に通される。このため、冷媒管通路部を第１貯蔵室の後側の内壁面より後側に位置させても、第１貯蔵室側から冷媒管通路部内に冷媒管を通す作業の作業性の低下を抑制できる。
【０００８】
また、前記冷媒管通路部の前記第１貯蔵室側の開口は前側から見て少なくとも一部が視認可能であってもよい。
【０００９】
上記の冷却貯蔵庫によると、冷媒管通路部の第１貯蔵室側の開口の一部を前側から視認できない場合に比べて冷媒管を冷媒管通路部に通す作業の作業性の低下を抑制できる。
【００１０】
また、前記冷媒管通路部の前記第１貯蔵室側の開口は前記第２貯蔵室側から見て少なくとも一部が視認可能であってもよい。
【００１１】
上記の冷却貯蔵庫によると、冷媒管通路部の第１貯蔵室側の開口の一部を第２貯蔵室側から視認できない場合に比べて冷媒管を冷媒管通路部に通す作業の作業性の低下を抑制できる。
【図面の簡単な説明】
【００１２】
【図１】実施形態１に係る冷却貯蔵庫を前側から見た正面図
【図２】冷却貯蔵庫の図１に示すＡ―Ａ線の断面の斜視図（冷媒管は省略）
【図３】冷却貯蔵庫の図１に示すＢ―Ｂ線の断面図
【図４】冷凍回路の斜視図
【図５】図２に示す斜視図の左後側近傍の拡大図
【図６】冷媒管通路部（第１通路部材及び第２通路部材）の斜視図
【図７】従来の冷却貯蔵庫の図１に示すＢ―Ｂ線に相当する断面図
【発明を実施するための形態】
【００１３】
＜実施形態１＞
実施形態１を図１ないし図６に基づいて説明する。以降の説明において上下方向及び左右方向とは図１に示す上下方向及び左右方向のことをいい、前後方向とは図３に示す前後方向のことをいう。
【００１４】
（１）冷却貯蔵庫の全体構成
図１〜図４を参照して、実施形態１に係る冷却貯蔵庫１の全体構成について説明する。なお、図２では後述する冷媒管３６（図４参照）を省略している。
図１に示すように、冷却貯蔵庫１は主に業務に用いられる横型の冷却貯蔵庫であり、前側に開口を有する断熱箱体からなる貯蔵庫本体１０、貯蔵庫本体１０の開口を開閉する観音開き式の断熱扉１１（１１Ａ、１１Ｂ）、及び、貯蔵庫本体１０の左側に配されている機械室１２を備えている。
【００１５】
貯蔵庫本体１０は底壁部１３（図３）、左壁部１４（図２、図３）、右壁部１５（図１〜図３）、後壁部１６（図２、図３）、及び、上壁部１７（図１）を備えている。各壁部１３〜１７の内部には発泡剤が充填されている。
図２及び図３に示すように、貯蔵庫本体１０の内部は断熱性の隔壁１８によって左右に仕切られている。隔壁１８を挟んで左側は冷凍室１９（第１貯蔵室の一例）であり、右側は冷蔵室２０（第２貯蔵室の一例）である。冷凍室１９は一部が左側（すなわち機械室１２側）に張り出しており、その張り出した部分が機械室１２に収容されている。
【００１６】
冷凍室１９内には冷凍室側ダクト２１が設けられている。冷凍室側ダクト２１は冷凍室１９内を上述した機械室１２側に張り出した部分の内部空間とそれ以外の空間とに仕切るものである。冷凍室側ダクト２１によって冷凍室１９内が仕切られることにより、冷凍室１９内において機械室１２側に冷凍室用冷却室２２（第１冷却室の一例）が形成されている。冷凍室側ダクト２１には図示しない吸込口及び吹出口２１Ａが設けられている。
【００１７】
冷凍室用冷却室２２内には後述する冷凍回路３０の一部である冷凍室用蒸発器３４（第１蒸発器の一例）が収容されている。冷凍室用蒸発器３４は冷凍室１９の冷却性能を向上させるために従来に比べて後側に大きく形成されている。
冷凍室用冷却室２２内において冷凍室用蒸発器３４の右側には冷凍室側庫内ファン２３が配されている。冷凍室側庫内ファン２３が回転すると冷凍室１９内の空気が吸込口から冷凍室用冷却室２２に吸い込まれ、冷凍室用蒸発器３４によって冷却されて吹出口２１Ａから吹き出される。これにより冷凍室１９内が冷却される。
【００１８】
冷蔵室２０には板状の冷蔵室側ダクト２４が配されている。冷蔵室側ダクト２４は隔壁１８との間に冷蔵室用冷却室２５（第２冷却室の一例）を形成するものであり、板面が左右方向を向く姿勢で設けられている。冷蔵室側ダクト２４には図示しない吸込口及び吹出口２６が設けられている。
【００１９】
図３に示すように、冷蔵室用冷却室２５には後述する冷凍回路３０の一部である冷蔵室用蒸発器３５（第２蒸発器の一例）が収容されている。また、冷蔵室用冷却室２５には図示しない冷蔵室側庫内ファンが収容されている。冷蔵室側庫内ファンが回転すると冷蔵室２０内の空気が吸込口から冷蔵室用冷却室２５に吸い込まれ、冷蔵室用蒸発器３５によって冷却されて吹出口２６から吹き出される。これにより冷蔵室２０内が冷却される。
【００２０】
機械室１２には後述する冷凍回路３０の一部（圧縮機３１、凝縮器３２など）、制御部、電源部、前述した冷凍室１９の張り出した部分（すなわち冷凍室用冷却室２２を形成している部分）などが収容されている。図１及び図２に示すように機械室１２の前面には操作部２７が設けられている。ユーザは操作部２７を操作することによって庫内の目標温度などを設定することができる。
【００２１】
（３）冷凍回路
図４を参照して、冷凍回路３０について説明する。冷凍回路３０は圧縮機３１、凝縮器３２、冷凍室用蒸発器３４、冷蔵室用蒸発器３５などを有しており、これらが金属製の冷媒管３６によって循環接続されている。冷媒管３６は人の力によって変形させることができる程度の弾性を有している。なお、冷凍回路３０は減圧器（例えばキャピラリチューブ）などの他の構成要素も有しているがここでは説明を省略する。
【００２２】
圧縮機３１及び凝縮器３２は冷媒管３６を介して直列に接続されている。凝縮器３２の出口側に接続されている冷媒管３６は途中で分岐しており、分岐した一方の冷媒管３６が冷凍室用蒸発器３４の入口側に接続されていると共に、他方の冷媒管３６が冷蔵室用蒸発器３５の入口側に接続されている。冷凍室用蒸発器３４の出口側に接続されている冷媒管３６と冷蔵室用蒸発器３５の出口側に接続されている冷媒管３６とは途中で合流しており、合流した冷媒管３６が圧縮機３１の入口側に接続されている。
【００２３】
凝縮器３２の出口側に接続されている冷媒管３６から分岐して冷蔵室用蒸発器３５の入口側に接続されている冷媒管３６と、冷蔵室用蒸発器３５の出口側に接続されている冷媒管３６とは並行に配されている。以降の説明ではこれらの平行に配されている冷媒管３６のことを冷蔵室用冷媒管３６というものとする。冷蔵室用冷媒管３６にはスポンジ状の断熱材であるインシュレーション３７が巻き付けられている。
【００２４】
（４）冷蔵室用冷媒管、及び、冷媒管通路部
図４に示すように、冷蔵室用冷媒管３６は冷蔵室用蒸発器３５から後側に延びる第１部分３６Ａ、第１部分３６Ａの後側端部から９０度曲がって左側に延びる第２部分３６Ｂ、及び、第２部分３６Ｂの左側端部から９０度曲がって前側に延びる第３部分３６Ｃを有している。第２部分３６Ｂは左側の部分３９が右側の部分３８に対して後側にずれるように途中で曲がっている。
【００２５】
図３及び図５に示すように、冷凍室用蒸発器３４の後側には第２部分３６Ｂの左側の部分３９が通される通路を形成する冷媒管通路部４１が設けられている。前述したように冷凍室用蒸発器３４は従来に比べて後側に大きく形成されているので、図５に示すように冷凍室用蒸発器３４と冷凍室用冷却室２２の後側の壁部２２Ａとの間が狭くなっており、それらの間に冷蔵室用冷媒管３６を通すための空間を確保することができない。このため冷媒管通路部４１は貯蔵庫本体１０の後壁部１６の内部に設けられている。
【００２６】
図３、図５及び図６を参照して、冷媒管通路部４１についてより具体的に説明する。冷媒管通路部４１は、第１通路部材４３（図３、図５、図６）、及び、第１通路部材４３の右側に接続される第２通路部材４４（図３、図５、図６）を有している。図６に示すように、第１通路部材４３は角筒状に形成されている。第２通路部材４４も大まかには角筒状に形成されているが、後壁４４Ａが左から右に向かって前側に傾斜している。
【００２７】
図５に示すように、冷凍室１９の後側の内壁面１９Ａは左側が前側に９０度曲げられることによって段差部１９Ｂが形成されている。段差部１９Ｂは前側が冷凍室用冷却室２２の後側の壁部２２Ａに固定されている。冷凍室１９の後側の内壁面１９Ａと段差部１９Ｂとの角部には第２通路部材４４が篏合挿入される開口１９Ｃが形成されている。また、貯蔵庫本体１１の左壁部１４の外壁１４Ａには第１通路部材４３が篏合挿入される矩形の開口１４Ｂが形成されている。
【００２８】
第１通路部材４３の左端部は左壁部１４の外壁１４Ａの開口１４Ｂに篏合挿入されて外壁１４Ａに支持されている。第２通路部材４４の右端部は冷凍室１９の後側の内壁面１９Ａと段差部１９Ｂとの角部に形成されている開口１９Ｃに篏合挿入されている。図５に示すように、第２通路部材４４の底壁４４Ｂは開口１９Ｃに沿った形状に切り欠かれており、冷凍室１９の後側の内壁にねじ止め（あるいはビス止め）されている。
【００２９】
図３に示すように、冷媒管通路部４１は一部が冷凍室１９の後側の内壁面１９Ａより後側に位置しており、冷媒管通路部４１の前後方向の中心位置が冷凍室１９の後側の内壁面１９Ａの前後方向の位置と略一致している。また、前述したように冷媒管通路部４１は第２通路部材４４の後壁４４Ａが左から右に向かって前側に傾斜しているので、冷媒管通路部４１の冷凍室１９側の端部４１Ａは冷凍室１９側から機械室１２側に向かって後側に傾斜している。
【００３０】
図５に示すように、第２通路部材４４の前壁４４Ｃの右端の左右方向の位置は段差部１９Ｂの位置と略一致している。これに対し、第２通路部材４４の後壁４４Ａは概ね段差部１９Ｂの位置から右側（すなわち冷蔵室２０側）に向かって前側に傾斜しており、右端が冷凍室１９の後側の内壁面１９Ａに連なっている。このため後壁４２Ａの右端は段差部１９Ｂより右側に位置している。
【００３１】
上述したように、第２通路部材４４の後壁４４Ａの右端は段差部１９Ｂより右側に位置しているので、作業者は前側から見て冷媒管通路部４１の冷凍室１９側の開口の一部を視認可能である。
また、前述したように冷媒管通路部４１は一部が冷凍室１９の後側の内壁面１９Ａより後側に位置しているが、後側にずれている幅は冷媒管通路部４１の前後方向の幅の略半分であり、冷媒管通路部４１の前後方向の中心位置は冷凍室１９の後側の内壁面１９Ａの前後方向の位置と略一致している。このため第２通路部材４４の前壁４４Ｃは冷凍室１９の後側の内壁面１９Ａより前側に位置している。このため、作業者は右側から見ても冷媒管通路部４１の冷凍室１９側の開口の一部を視認可能である。
【００３２】
（５）冷媒管通路部への冷蔵室用冷媒管の挿入
次に、図３を参照して、冷媒管通路部４１への冷蔵室用冷媒管３６の挿入について説明する。冷媒管通路部４１は貯蔵庫本体１０の各壁部１３〜１７の内部に発泡剤が充填される前に貯蔵庫本体１０に組み付けられ、その後に各壁部１３〜１７の内部に発泡剤が充填される。冷媒管通路部４１への冷蔵室用冷媒管３６の挿入は貯蔵庫本体１０の各壁部１３〜１７の内部に発泡剤が充填された後に行われる。
【００３３】
具体的には、作業者は冷凍室１９内に上半身を潜り込ませ、冷蔵室用冷媒管３６（より具体的には第１部分３６Ａ〜第３部分３６Ｃ）を冷凍室１９側から冷媒管通路部４１に挿入する。第１部分３６Ａ〜第３部分３６Ｃは直線状ではないが、前述したように人の力によって変形させることができる程度の弾性を有しているので、作業者は冷蔵室用冷媒管３６を弾性変形させながら冷媒管通路部４１に挿入する。そして、作業者は冷蔵室用冷媒管３６を冷媒管通路部４１に挿入した後、冷蔵室用冷媒管３６の左端を機械室１２内で冷凍回路３０に接続するとともに、冷蔵室用冷媒管３６の右端を冷蔵室用冷却室２５内で冷蔵室用蒸発器３５に接続する。
【００３４】
（６）実施形態の効果
実施形態１に係る冷却貯蔵庫１によると、図３に示すように冷媒管通路部４１を冷凍室１９の後側の内壁面１９Ａより後側に位置させるので（より具体的には冷媒管通路部４１を貯蔵庫本体１０の後壁部１６の内部に設けるので）、冷凍室１９の冷却性能を向上させるために冷凍室用蒸発器３４を後側に大きくしても冷凍室用蒸発器３４の後側に冷蔵室用冷媒管３６を通すための通路（すなわち冷媒管通路部４１によって形成される通路）を確保することができる。
そして、冷却貯蔵庫１によると、冷媒管通路部４１の冷凍室１９側の端部４１Ａが冷凍室１９側から機械室１２側に向かって後側に傾斜しているので、冷蔵室用冷媒管３６を冷媒管通路部４１内に通すとき、冷蔵室用冷媒管３６が冷媒管通路部４１の傾斜している端部４１Ａに案内されて冷媒管通路部４１内に通される。このため、冷媒管通路部４１を冷凍室１９の後側の内壁面１９Ａより後側に位置させても、冷凍室１９側から冷媒管通路部４１に冷蔵室用冷媒管３６を通す作業の作業性の低下を抑制できる。
【００３５】
また、冷却貯蔵庫１によると、冷媒管通路部４１の冷凍室１９側の開口の一部を前側から視認できるので、前側から視認できない場合に比べて冷蔵室用冷媒管３６を冷媒管通路部４１に通す作業の作業性の低下を抑制できる。
【００３６】
また、冷却貯蔵庫１によると、冷媒管通路部４１の冷凍室１９側の開口の一部を右側（すなわち冷蔵室２０側）から視認できるので、冷蔵室２０側から視認できない場合に比べて冷蔵室用冷媒管３６を冷媒管通路部４１に通す作業の作業性の低下を抑制できる。
【００３７】
＜他の実施形態＞
本明細書によって開示される技術は上記記述及び図面によって説明した実施形態に限定されるものではなく、例えば次のような実施形態も本明細書によって開示される技術的範囲に含まれる。
【００３８】
（１）上記実施形態では冷媒管通路部４１の前後方向の中心位置が冷凍室１９の後側の内壁面１９Ａの前後方向の位置と略一致している場合を例に説明した。これに対し、冷媒管通路部４１は全体が冷凍室１９の後側の内壁面１９Ａより後側に位置していてもよい。ただし、その場合は、冷媒管通路部４１の冷凍室１９側の開口は右側から視認不能となる。
【００３９】
（２）上記実施形態では冷媒管通路部４１の冷凍室１９側の開口を前側から視認可能な場合を例に説明したが、冷媒管通路部４１の冷凍室１９側の開口は必ずしも前側から視認可能でなくてもよい。例えば冷凍室側ダクト２１があることによって真正面からは開口を視認できない構成であってもよい。その場合であっても右斜め方向から開口を視認することはできるので、作業性は大きく低下しないといえる。
【００４０】
（３）上記実施形態では第１通路部材４３と第２通路部材４４とが別部品として構成されている場合を例に説明したが、これらは一部品として構成されてもよい。
【００４１】
（４）上記実施形態では第１貯蔵室として冷凍室１９、第２貯蔵室として冷蔵室２０を例に説明したが、第１貯蔵室及び第２貯蔵室はこれに限られない。例えば、第１貯蔵室及び第２貯蔵室はどちらも冷凍室であってもよいし、どちらも冷蔵室であってもよい。また、第１貯蔵室が冷蔵室、第２貯蔵室が冷凍室であってもよい。
【符号の説明】
【００４２】
１…冷却貯蔵庫、１２…機械室、１９…冷凍室（第１貯蔵室の一例）、１９Ａ…冷凍室の後側の内壁面、２０…冷蔵室（第２貯蔵室の一例）、２２…冷凍室用冷却室（第１冷却室の一例）、２５…冷蔵室用冷却室（第２冷却室の一例）、３１…圧縮機、３２…凝縮器、３３…減圧器、３４…冷凍室用蒸発器（第１蒸発器の一例）、３５…冷蔵室用蒸発器（第２蒸発器の一例）、３６…冷媒管、４１…冷媒管通路部、４１Ａ…冷媒管通路部の冷凍室側の端部
【図１】
2019143892.tif 000003
【図２】
2019143892.tif 000004
【図３】
2019143892.tif 000005
【図４】
2019143892.tif 000006
【図５】
2019143892.tif 000007
【図６】
2019143892.tif 000008
【図７】
2019143892.tif 000009